(57)【要約】【課題】  装置前面で給排紙を行うシート搬送経路を備えた装置の再給紙の防止を目的とするインクジェット記録装置の提供。【解決手段】  被記録材であるシートの給排紙を同一方向で行うスイッチバック搬送系のインクジェット記録装置本体に開閉可能に支持されたシートを積載する給紙トレイと、シートを給送する給送手段と、シートを搬送する搬送手段と、シートに記録を行う記録手段と、記録後にシートを略給紙位置まで搬送し排紙する排紙手段と、前記給紙トレイ上方に排紙されたシートを受ける給排紙セパレータを有し、前記排紙手段により排紙されるシートは給紙のために前記給紙トレイ上に積載されたシートに対し、搬送方向の直角方向に対して、整列して前記給排紙セパレータ上に載置されないことを特徴とするインクジェット記録装置。【選択図】        図１
2006347058.tif 000002
【特許請求の範囲】
【請求項１】
被記録材であるシートの給排紙を同一方向で行うスイッチバック搬送系のインクジェット記録装置本体に開閉可能に支持されたシートを積載する給紙トレイと、
シートを給送する給送手段と、
シートを搬送する搬送手段と、
シートに記録を行う記録手段と、
記録後にシートを略給紙位置まで搬送し排紙する排紙手段と、
前記給紙トレイ上方に排紙されたシートを受ける給排紙セパレータを有し、
前記排紙手段により排紙されるシートは給紙のために前記給紙トレイ上に積載されたシートに対し、搬送方向の直角方向に対して、整列して前記給排紙セパレータ上に載置されないことを特徴とするインクジェット記録装置。
【請求項２】
前記給排紙セパレータは排紙されるシートのシート排紙方向に略垂直な方向の略中心線を挟んだ双方の側に与える抵抗力が相対的に異なるように構成されたことを特徴とする請求項１に記載のインクジェット記録装置。
【請求項３】
前記給排紙セパレータは排紙されるシートのシート排紙方向に略垂直な方向の略中心線を挟んだ双方の側で、紙搬送方向の長さもしくは高さの少なくともどちらか一方が異なることを特徴とする請求項１または２に記載のインクジェット記録装置。
【請求項４】
前記給排紙セパレータは排紙されるシートのシート排紙方向に略垂直な方向の略中心線を挟んだどちらか一方の側に摩擦部材が取り付けられていることを特徴とする請求項１から３のいずれかに記載のインクジェット記録装置。
【請求項５】
前記排紙手段は少なくとも一つのローラを有し、さらに少なくとも一つのローラが斜送ローラで構成されていることを特徴とする請求項１から４のいずれかに記載のインクジェット記録装置。
【発明の詳細な説明】
【技術分野】
【０００１】
本発明はインクジェット記録装置に関し、詳しくは、装置前面で給排紙を行うシート搬送経路を備えた装置の小型化に関する。
【背景技術】
【０００２】
従来、記録装置前面で給排紙を行うシート搬送経路を備え、更に、給紙トレイが装置に開閉可能に支持されていて、給紙トレイ略上方が記録後のシートの排紙位置になっている装置において、排紙されたシートが再び給紙されることを防止するために、給排紙セパレータは必須部品である。
【０００３】
また、給排紙セパレータは排紙後のシートの再給紙を防止するために、給紙トレイに積載されたシートを覆うような形状で構成することが必要である。
【特許文献１】特開２００３−４０５０５号公報
【発明の開示】
【発明が解決しようとする課題】
【０００４】
しかしながら、近年の記録装置は小型化が進み、再給紙を防止するに十分な給排紙セパレータの形状を構成することが困難である。このため、給排紙セパレータの上方に排紙されたシートは給紙トレイ上に積載されたシートと常に接触している状態となるため、積載されたシートが給排紙される度に、排紙されたシートは徐々に給排紙セパレータ上から移動し、給紙トレイに積載されているシート上に落下する。この時、落下した場所が給紙トレイ上の紙基準とサイドガイドの間の場合には、更に、給紙動作が進むと、給紙トレイ上に落下した記録済みシートは給紙されるシートとの摩擦力により、次第にせり上がり、ピックアップローラ下部まで、せり上がった所で、次の給紙動作により再給紙されてしまう。
【０００５】
本発明は、以上の点に着目して成されたもので、装置の小型化が進み、十分な給排紙セパレータの形状を確保しなくとも、排紙されたシートの再給紙を防止することが可能となり、小型でより優れたインクジェット記録装置を提供することを目的とする。
【課題を解決するための手段】
【０００６】
前述のような課題があるため、本発明は以下の特徴による手段で課題を解決した。
【０００７】
（手段１）
給排紙セパレータは排紙されるシートのシート排紙方向に略垂直な方向の略中心線を挟んだ双方の側で、長さもしくは高さの少なくともどちらか一方を異ならせることで、抵抗力を双方の側でことならせ、この抵抗力により、排紙されたシートが排紙方向に直線状に移動することを防止し、給紙トレイ上の紙基準とサイドガイドの間に落下することを防ぎ、再給紙され難い構成を可能にした。
【０００８】
（手段２）
給排紙セパレータは排紙されるシートのシート排紙方向に略垂直な方向の略中心線を挟んだどちらか一方の側に摩擦部材が取り付けられていることで、摩擦力を双方の側でことならせ、この抵抗力により、排紙されたシートが排紙方向に直線状に移動することを防止し、給紙トレイ上の紙基準とサイドガイドの間に落下することを防ぎ、再給紙され難い構成を可能にした。
【０００９】
（手段３）
排紙手段は少なくとも一つのローラを有し、さらに少なくとも一つのローラが斜送ローラで構成されていることで、排紙されたシートが排紙方向に直線状に移動することを防止し、給紙トレイ上の紙基準とサイドガイドの間に落下することを防ぎ、再給紙され難い構成を可能にした。
【００１０】
すなわち、本発明の技術内容は以下の構成を備えることにより前記課題を解決できた。
【００１１】
（１）被記録材であるシートの給排紙を同一方向で行うスイッチバック搬送系のインクジェット記録装置本体に開閉可能に支持されたシートを積載する給紙トレイと、シートを給送する給送手段と、シートを搬送する搬送手段と、シートに記録を行う記録手段と、記録後にシートを略給紙位置まで搬送し排紙する排紙手段と、前記給紙トレイ上方に排紙されたシートを受ける給排紙セパレータを有し、前記排紙手段により排紙されるシートは給紙のために前記給紙トレイ上に積載されたシートに対し、搬送方向の直角方向に対して、整列して前記給排紙セパレータ上に載置されないことを特徴とするインクジェット記録装置。
【発明の効果】
【００１２】
本発明によれば、装置の小型化が進み、十分な給排紙セパレータの形状を確保しなくとも、排紙されたシートの再給紙を防止することが可能となり、小型でより優れたインクジェット記録装置を提供することが可能となる。
【発明を実施するための最良の形態】
【００１３】
以下図を参照して、本発明の実施の形態を説明する。各図において、同一符号は同一又は対応する部分を示している。
【実施例】
【００１４】
（第１の実施の形態）
本発明の第１の実施の形態について図１〜図４を用いて説明する。
【００１５】
図１はインクジェット記録装置の斜視図である。
【００１６】
記録手段１０２は、ヘッド部とインクタンク部とからなるヘッドカートリッジで構成されている。この記録手段１０２は、ヘッドカートリッジに限定されるものではなく、ヘッド部とインクタンク部が分離したものでもよい。記録手段１０２は押さえ部材１１２によりキャリッジ１０１上に固定されている。更に、キャリッジ１０１はＣＲモータ（不図示）により駆動を伝達され、ＣＲベルト１０４を介して、ガイドシャフト１０３に沿って図中の矢印Ｓ方向に往復移動可能に案内支持されている。また、キャリッジ１０１の位置情報はＣＲエンコーダ１０７により取得される。
【００１７】
シート１１９の流れを説明すると、装置本体前面部に開閉可能に支持された給紙トレイ２上の紙基準１２１とサイドガイド１２２に間にシート１１９は積載され、給紙が開始されると、ピックアップローラ１１４下方の圧板１１８がシート１１９を持ち上げるように上昇し、ピックアップローラ１１４に圧接させる。
【００１８】
その後、ピックアップローラ１１４が回転し、図中矢印Ｃ方向に搬送され、フィードローラ１１５下方にある分離ローラ（不図示）により１枚に分離され、さらに、給排紙の分岐点であるフラッパー１１６の下をくぐり排紙ローラ１０９と排紙コロ１１１からなる第１搬送ローラ対により挟持され、さらに矢印Ｃ方向に搬送され、つづいて、ＬＦローラ１０８とピンチローラ１１０からなる第２搬送ローラ対により挟持され、搬送されたシート１１９の後端が記録手段１０２の走査範囲よりも装置後方に来るまで搬送される。
【００１９】
ここまでの動きがスイッチバックの往路、復路の表現を使うならば往路の動きとなる。
【００２０】
復路のシート１１９の動きは図中矢印Ｄの方向に搬送され、第２搬送ローラ対から第１搬送ローラ対に向けて搬送される。なお、この間に記録手段１０２により記録が行われる。第１搬送ローラ対を抜けたシート１１９はフラッパー１１６の上を通り、フィードローラ１１５とピックアップローラ１１４により更に搬送され、給排紙セパレータ１１３上に排紙される。このため、給排紙セパレータにより、再給紙を防止するには積載されているシート１１９の上面を全面覆える形状で構成することが望まれる。
【００２１】
しかしながら、記録装置本体に対し開閉可能に支持された給紙トレイの場合には前述の全面覆える形状は非常に困難である。
【００２２】
図２、図３によれば、図２は本記録装置収納時の給紙トレイ２を閉じた状態の斜視図で、給紙トレイ２は回転中心Ｏを軸に、シート搬送方向に対して略垂直に立てられて収納される。
【００２３】
図３は図２の給紙部分の側面断面図である。
【００２４】
給紙トレイ２から凸状態である給排紙セパレータは記録装置内部の機構部品との干渉を避ける必要があり、これが出来なければ記録装置本体を大きく構成するしかなくなってしまう。このため、給紙トレイ２に所定の領域で回転可能に支持された給排紙セパレータは給紙トレイ２が閉められると給紙トレイ上面と給排紙セパレータ裏面の間Ｈを狭めながら、給紙トレイ２の中に沈動していく構成をとっている。このように給排紙セパレータ１１３を給紙トレイに対して相対的に移動させることで、可能な限り大きく構成しているが、積載されたシート１１９の全面を覆うような形状は非常に困難であることがわかる。
【００２５】
そこで、本発明による第１の実施の形態を図４を用いて説明する。
【００２６】
図４は本発明の給排紙セパレータ１１３ａを用いた給紙トレイ２ａである。本発明の給排紙セパレータ１１３ａは記録後のシートが積載される部分の形状が紙基準１２１側とサイドガイド１２２側で排紙方向の長さがＷ異なっており、この作用により、記録後シート（不図示）は排紙後に紙基準側の抵抗がサイドガイド側と比べると大きくなるため、図中矢印Ｊ方向に若干傾きながら排紙される。このため、排紙されたシートが排紙方向に直線状に移動することを妨げられ、給紙トレイ上の紙基準とサイドガイドの間に落下することを防止し、再給紙され難い構成を可能とした。
【００２７】
（第２の実施の形態）
本発明の第２の実施の形態について図５を用いて説明する。
【００２８】
図５は本発明の給排紙セパレータ１１３ｂを用いた給紙トレイ２ａである。本発明の給排紙セパレータ１１３ｂは記録後のシートが積載される部分の紙基準１２１側にリブ状の突起リブＡ  １２４が設けらており、この作用により、記録後シートは排紙後に紙基準側の抵抗がサイドガイド側と比べると大きくなるため、図中矢印Ｊ方向に若干傾きながら排紙される。このため、排紙されたシートが排紙方向に直線状に移動することを妨げられ、給紙トレイ上の紙基準とサイドガイドの間に落下することを防止し、再給紙され難い構成を可能とした。
【００２９】
（第３の実施の形態）
本発明の第３の実施の形態について図６を用いて説明する。
【００３０】
図６は本発明の給排紙セパレータ１１３ｃを用いた給紙トレイ２ａである。本発明の給排紙セパレータ１１３ｃは記録後のシートが積載される部分の紙基準１２１側に摩擦部材１２３が取り付けられており、この作用により、記録後シートは排紙後に紙基準側の抵抗がサイドガイド側と比べると大きくなるため、図中矢印Ｊ方向に若干傾きながら排紙される。このため、排紙されたシートが排紙方向に直線状に移動することを妨げられ、給紙トレイ上の紙基準とサイドガイドの間に落下することを防止し、再給紙され難い構成を可能とした。
【００３１】
（第４の実施の形態）
本発明の第４の実施の形態について図７を用いて説明する。
【００３２】
図７は本発明の給紙部及び排紙部である。斜送ローラ１２５は付勢部材１２６により、下向きに力を加えられながら、ピックアップローラ１１４に圧接されている。この斜送ローラ１２５は記録装置本体に係止されたシャーシ１２７に回転可能に取り付けられた、コロホルダー１２８に支持されている。斜送ローラ１２５の軸とピックアップローラ１１４の軸は通紙方向に対してθずれているため、記録後シートが排紙方向に直線状に移動することがなく、給紙トレイ上の紙基準とサイドガイドの間に落下することを防止し、再給紙され難い構成を可能とした。
【図面の簡単な説明】
【００３３】
【図１】本発明の一実施例の形態に係わるインクジェット記録装置斜視図（給紙トレイ開状態）
【図２】本発明の一実施例の形態に係わるインクジェット記録装置斜視図（給紙トレイ閉状態）
【図３】本発明の一実施例の形態に係わるインクジェット記録装置側面図
【図４】本発明の一実施例の形態に係わるインクジェット記録装置側面図（第１の実施の形態）
【図５】本発明の一実施例の形態に係わるインクジェット記録装置斜視図（第２の実施の形態）
【図６】本発明の一実施例の形態に係わるインクジェット記録装置斜視図（第３の実施の形態）
【図７】本発明の一実施例の形態に係わるインクジェット記録装置斜視図（第４の実施の形態）
【符号の説明】
【００３４】
１        画像記録装置本体
２        給紙トレイ
２ａ      給紙トレイ
１０１    記録手段
１０２    キャリッジ
１０３    ガイドシャフト
１０４    ＣＲベルト
１０５    プラテン
１０６    ＬＦエンコーダ
１０７    ＣＲエンコーダ
１０８    ＬＦローラ
１０９    排紙ローラ
１１０    ピンチローラ
１１１    排紙コロ
１１２    押さえ部材
１１３    給排紙セパレータ
１１３ａ  給排紙セパレータ
１１３ｂ  給排紙セパレータ
１１３ｃ  給排紙セパレータ
１１４    ピックアップローラ
１１５    フィードローラ
１１６    フラッパー
１１７    本体下ケース
１１８    圧板
１１９    シート
１２１    紙基準
１２２    サイドガイド
１２３    摩擦部材
１２４    リブＡ
１２５    斜送ローラ
１２６    付勢部材
１２７    シャーシ
１２８    コロホルダー
Ｃ        シート搬送方向（往路）
Ｄ        シート搬送方向（復路）
Ｈ        給紙トレイ上面と給排紙セパレータ裏面の間
Ｊ        排紙方向
Ｐ        ポリエステルフィルム
Ｓ        記録手段走査方向
θ        斜送ローラ軸とピックアップローラ軸のずれ角
【図１】
2006347058.tif 000003
【図２】
2006347058.tif 000004
【図３】
2006347058.tif 000005
【図４】
2006347058.tif 000006
【図５】
2006347058.tif 000007
【図６】
2006347058.tif 000008
【図７】
2006347058.tif 000009